(57)【特許請求の範囲】
【請求項１】
複数の踏板を有する階段の下方に形成された階段下空間と該階段下空間に隣接する隣接空間とが壁体により仕切られている建物であって、
前記壁体には、前記階段下空間と前記隣接空間とを連通する開口部が形成されており、
前記階段下空間の床面と前記隣接空間の床面とは、前記開口部を通じて連続しており、
互いに高さの異なる複数の被収納物が、前記隣接空間の床面に載置された状態から前記開口部を通じて前記階段下空間側にスライド移動することで、被収納物の側面板の板面を前記隣接空間側に向けた状態で前記階段下空間に収納可能になっており、
前記隣接空間として、床面が土間床により形成されている土間空間が設けられており、
前記土間空間と前記階段下空間とを仕切る前記壁体には、前記開口部として、前記階段下空間と前記土間空間とを連通する土間側開口部が形成されており、
前記階段下空間には、前記土間側開口部を通じて前記土間空間の土間面と連続している低床面が設けられており、
前記複数の被収納物のうち少なくとも１つが、前記土間空間から前記土間側開口部を通じてスライド移動することで前記階段下空間に収納可能になっており、
前記階段は、上下に隣り合う上階部と下階部とを行き来可能にするものであり、
前記隣接空間として、前記下階部において下階床部により床面が形成された下階空間が設けられており、
前記下階空間と前記階段下空間とを仕切る壁体には、前記開口部として、前記階段下空間と前記下階空間とを連通する下階開口部が形成されており、
前記階段下空間には、前記低床面に加えて、該低床面よりも高い位置にあるとともに前記下階開口部を通じて前記下階空間の下階床面と連続している高床面が設けられており、
前記複数の被収納物のうち少なくとも１つが、前記下階空間から前記下階開口部を通じてスライド移動することで前記階段下空間に収納可能になっており、
前記下階開口部は、前記階段下空間の前記低床面を挟んで前記土間側開口部と並ぶ位置に設けられており、
前記階段下空間において、前記低床面と前記高床面とは前記階段の昇降方向に並べられており、前記低床面は前記高床面よりも前記階段の下段側に配置されていることを特徴とする建物。
【請求項２】
複数の踏板を有する階段の下方に形成された階段下空間と該階段下空間に隣接する隣接空間とが壁体により仕切られている建物であって、
前記壁体には、前記階段下空間と前記隣接空間とを連通する開口部が形成されており、
前記階段下空間の床面と前記隣接空間の床面とは、前記開口部を通じて連続しており、
互いに高さの異なる複数の被収納物が、前記隣接空間の床面に載置された状態から前記開口部を通じて前記階段下空間側にスライド移動することで、被収納物の側面板の板面を前記隣接空間側に向けた状態で前記階段下空間に収納可能になっており、
前記被収納物として、前記階段下空間に収納される可動ラックを備え、
前記可動ラックは底板部を有し、その底板部の下面側には、前記階段下空間に対する出し入れ時の前記可動ラックの移動方向に直交する方向に、所定間隔を隔てて複数の車輪部が設けられており、
前記階段下空間において前記可動ラックが移動する床部には、前記可動ラックの車輪間隔よりも幅狭な開口部を有する床下収納凹部が設けられていることを特徴とする建物。
【請求項３】
前記被収納物は、物品が載置される載置板を有するケース体であり、前記側面板を挟んで対向する各側面部に物品出し入れ用の開口が形成されたものである請求項１又は２に記載の建物。
【発明の詳細な説明】
【技術分野】
【０００１】
本発明は、階段下空間を備える建物に関するものである。
【背景技術】
【０００２】
住宅等の建物について、階段の下方に形成された階段下空間を有効利用する技術が提案されている。例えば、側方に向けて開放された箱状のボックスを複数用い、それらボックスを階段状に積み重ねるという技術がある（例えば特許文献１）。この技術では、ボックスの上面板が踏板としての役割を果たし、ボックスの内部スペースが階段下空間に相当し、その階段下空間に物品を収納することが可能となる。
【先行技術文献】
【特許文献】
【０００３】
【特許文献１】実用新案登録第３１６９７１２号公報
【発明の概要】
【発明が解決しようとする課題】
【０００４】
しかしながら、階段状に積み重ねられたボックスにより階段が形成されている構成では、ボックスは床部の上に載置されることになるため、ボックスの底面と床面との間にはボックスの底面板の板厚分だけ段差が生じてしまう。ここで、例えば可動棚を物品として床面からボックス内にスライド移動させて収納する場合には、可動棚に段差を乗り越えさせる必要があり、ボックス内への可動棚の出し入れに際してその可動棚を持ち上げるという手間が生じてしまう。したがって、階段下空間を利用できる構成に関して改善の余地がある。
【０００５】
本発明は、階段下空間を物品収納スペースとして好適に利用し、しかも、物品収納によって階段下空間の見栄えが低下するということを抑制することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物は、複数の踏板を有する階段の下方に形成された階段下空間と該階段下空間に隣接する隣接空間とが壁体により仕切られている建物であって、前記壁体には、前記階段下空間と前記隣接空間とを連通する開口部が形成されており、前記階段下空間の床面と前記隣接空間の床面とは、前記開口部を通じて連続しており、互いに高さの異なる複数の被収納物が、前記隣接空間の床面に載置された状態から前記開口部を通じて前記階段下空間側にスライド移動することで、被収納物の側面板の板面を前記隣接空間側に向けた状態で前記階段下空間に収納可能になっていることを特徴とする。
【０００８】
第１の発明によれば、階段下空間を物品収納スペースとして有効利用することができる。しかも、階段下空間と隣接空間との各床面が開口部を通じて連続しているため、階段下空間に可動棚等の被収納物を収納する場合に、階段下空間と隣接空間との間で被収納物をスライド移動させることが可能となる。この場合、被収納物を持ち上げる必要がなく、隣接空間から階段下空間への被収納物の出し入れを容易に行うことができる。さらに、被収納物が階段下空間に収納されている場合、被収納物の側面板により隣接空間と階段下空間とが仕切られた状態となっているため、階段下空間の内部が見えにくい構成を実現できる。
【０００９】
以上により、階段下空間を物品収納スペースとして好適に利用することができ、しかも、物品収納によって階段下空間の見栄えが低下するということを抑制できる。
【００１０】
第２の発明では、前記隣接空間として、床面が土間床により形成されている土間空間が設けられており、前記壁体には、前記開口部として、前記階段下空間と前記土間空間とを連通する土間側開口部が形成されており、前記階段下空間には、前記土間側開口部を通じて前記土間空間の土間面と連続している低床面が設けられており、前記複数の被収納物のうち少なくとも１つが、前記土間空間から前記土間側開口部を通じてスライド移動することで前記階段下空間に収納可能になっている。
【００１１】
第２の発明によれば、階段下空間が低床面を有しているため、低床面の上方においては階段下空間の有効高さ寸法を好適に確保できる。しかも、階段下空間と土間空間とが土間側開口部を通じて連通しているため、被収納物をリビング等の居住空間を経由することなく土間空間から階段下空間に直接的に収納することにより、その収納作業の負担を低減することができる。また、この場合、階段下空間を屋外用や土間用の物品収納スペースとして利用することができる。さらに、階段下空間の低床面と土間空間の土間面とが土間側開口部を通じて連続しているため、被収納物を低床面及び土間面に沿ってスライド移動させることで、土間空間から階段下空間に容易に出し入れすることができる。
【００１２】
第３の発明では、前記階段は、上下に隣り合う上階部と下階部とを行き来可能にするものであり、前記隣接空間として、前記下階部において下階床部により床面が形成された下階空間が設けられており、前記壁体には、前記開口部として、前記階段下空間と前記下階空間とを連通する下階開口部が形成されている。
【００１３】
第３の発明によれば、階段下空間が土間空間に加えて下階空間と連通されているため、階段下空間に対して、土間空間及び下階空間のいずれからも被収納物を出し入れすることができる。
【００１４】
第４の発明では、前記下階開口部は、前記階段下空間の前記低床面を挟んで前記土間側開口部と並ぶ位置に設けられている。
【００１５】
第４の発明によれば、階段下空間に収納されている被収納物を土間側開口部及び下階開口部の両方から容易に出し入れすることができる。また、被収納物がコージェネ機器等の重量の大きい機器である場合には、その機器を土間空間から土間面及び低床面に沿ってスライド移動させることで階段下空間に容易に収納することができるとともに、下階空間に居ながらにして下階開口部を通じて機器を操作することができる。
【００１６】
第５の発明では、前記階段下空間には、前記低床面に加えて、該低床面よりも高い位置にある高床面が設けられており、該高床面は、前記下階開口部を通じて前記下階空間の下階床面と連続しており、前記複数の被収納物のうち少なくとも１つが、前記下階空間から前記下階開口部を通じてスライド移動することで前記階段下空間に収納可能になっている。
【００１７】
第５の発明によれば、下階空間及び土間空間のいずれからも階段下空間に被収納物を出し入れできる構成において、階段下空間が低床面に加えて高床面を有しているため、被収納物を下階空間から階段下空間に収納する際に、その被収納物を高床面の上に載置することで収納作業を容易化できる。しかも、高床面と下階床面とは下階開口部を通じて連続しているため、被収納物を下階床面及び高床面に沿ってスライド移動させることで、その被収納物を下階空間から階段下空間に出し入れすることが容易となる。
【００１８】
第６の発明では、前記階段下空間において、前記低床面と前記高床面とは前記階段の昇降方向に並べられており、前記低床面は前記高床面よりも前記階段の下段側に配置されている。
【００１９】
第６の発明によれば、階段下空間においては、階段の下段側での有効高さ寸法を低床面により大きく確保することができる。これにより、階段の下段側においては階段下空間を物品収納スペースとして有効利用できないという不都合を回避できる。つまり、階段下空間でのデッドスペースを小さくすることができる。
【００２０】
第７の発明では、前記被収納物として、前記階段下空間に収納される可動ラックを備え、前記可動ラックは底板部を有し、その底板部の下面側には、前記階段下空間に対する出し入れ時の前記可動ラックの移動方向に直交する方向に所定間隔を隔てて複数の車輪部が設けられており、前記階段下空間において前記可動ラックが移動する床部には、前記可動ラックの車輪間隔よりも幅狭な開口部を有する床下収納凹部が設けられている。
【００２１】
第７の発明によれば、階段下空間に収納された可動ラックが車輪部にて床下収納凹部を跨いだ状態となることにより、階段下空間から床下空間の一部を物品収納スペースとして利用できる構成であっても、可動ラックを、その車輪部が床下収納凹部に引っ掛からないように階段下空間の床面上をスライド移動させることができる。これにより、階段下空間において、床面の上方空間及び下方空間の両方を物品収納スペースとして利用することができる。
【００２２】
第８の発明では、前記被収納物は、物品が載置される載置板を有するケース体であり、前記側面板を挟んで対向する各側面部に物品出し入れ用の開口が形成されたものである。
【００２３】
第８の発明によれば、側面板の板面が隣接空間側を向いた状態で階段下空間に収納されているケース体において、物品出し入れ用の開口を通じて載置板に物品を容易に載置することができる。
【図面の簡単な説明】
【００２４】
【図１】建物の一階部分の間取りを示す平面図。
【図２】図１のＡ−Ａ線断面図。
【図３】階段下空間周辺の平面図。
【図４】階段下空間周辺の縦断面図。
【図５】別の階段周辺の縦断面図。
【発明を実施するための形態】
【００２５】
以下、本発明を具体化した一実施形態について図面を参照しつつ説明する。本実施形態の建物は、二階建ての建物であり、一階部分と二階部分とが階段により行き来可能とされている。図１は建物１０の一階部分の間取りを示す平面図、図２は図１のＡ−Ａ線断面図である。なお、図２は、階段２１周辺の縦断面を示す図である。
【００２６】
図１に示すように、住宅等の建物１０は、一階部分の屋内空間である一階空間と、ガレージ１１とを有する車庫付き建物とされている。ガレージ１１は、インナガレージ（付属車庫）として一階空間に隣接して設けられており、一階空間とは建物１０の外壁１２により仕切られている。ガレージ１１は、土間床１３を有する土間空間とされており、土間床１３によりガレージ１１の床面である土間面１１ａが形成されている（図４参照）。土間床１３は、地表面ＧＬに沿って延びるように設けられたコンクリート層により形成されている。
【００２７】
一階空間は間仕切壁１４により複数の居住空間に仕切られており、それら居住空間により廊下１５やリビングなどが形成されている。なお、一階部分が下階部に相当し、一階空間が下階空間に相当する。また、外壁１２及び間仕切壁１４が壁体に相当する。
【００２８】
ここで、建物１０は、道路に接する間口が狭く奥行きが長い長方形状の狭小敷地に構築されており、その敷地の長手方向に沿って延びる形状とされている。ガレージ１１は、その出入口が建物１０の間口に配置された状態で、建物１０の長手方向に沿って奥側に向けて延びている。また、廊下１５及び階段２１は、建物１０の長手方向に沿って延びる状態で、ガレージ１１に対して横並びに配置されている。
【００２９】
階段２１は、ガレージ１１と廊下１５との間に配置されており、ガレージ１１を区画する外壁１２に沿って延びている。階段２１はＣ型階段とされており、一階部分及び二階部分に通じる昇降口が、階段２１の長手方向（廊下１５が延びている方向）とは交差する方向に向けて開放されている。これにより、廊下１５に沿って延びている階段であっても、その廊下１５から昇降することが可能となっている。しかも、Ｃ型階段では、長手方向の長さを十分に確保することができるため、階段２１が急勾配となることを回避できる。
【００３０】
図２に示すように、階段２１は、複数の踏板２２と、それら踏板２２を支持する支持材としてのささら桁２３と、各踏板２２の間に設けられている蹴込み板２４とを有している。階段２１においては、各踏板２２の並び方向が昇降方向となっており、ささら桁２３が昇降方向に沿って延びている。各踏板２２の下方には、それら踏板２２の裏面（下面）側を覆い隠す石膏ボード等の階段裏化粧板２６が設けられている。階段裏化粧板２６は、ささら桁２３の下側に配置されており、ささら桁２３に対して固定されている。
【００３１】
階段２１の下方には、階段裏化粧板２６の下面を天井面とする階段下空間３１が設けられている。階段下空間３１は、下から所定段目（例えば２段目）よりも上段の各踏板２２の下方に形成されており、階段裏化粧板２６は上段の踏板２２側に向けて斜め上方に延びている。また、階段下空間３１は、互いに平行に延びる外壁１２と間仕切壁１４との間に配置されている。
【００３２】
階段下空間３１は、高さの異なる２つの床面４１，４２が階段２１の昇降方向において横並びに配置されており、それら床面４１，４２によって段差が形成されている。床面４１，４２のうち下段側床面４２は、昇降方向において上段側床面４１よりも下段側に配置されており、上段側床面４１よりも低い位置に配置されている。この場合、階段下空間３１の有効高さ寸法は、上段側床面４１の上方においてはその上段側床面４１と階段裏化粧板２６との間の離間距離とされ、下段側床面４２の上方においてはその下段側床面４２と階段裏化粧板２６との間の離間距離とされている。
【００３３】
上段側床面４１は、一階床部４４の上面により形成されている。具体的には、建物１０においては、基礎４５の上に土台４６が設置されており、土台４６の上に一階床部４４が設置されている。基礎４５は、鉄筋コンクリート造の布基礎とされており、地中に埋設されているフーチング部４５ａと、そのフーチング部４５ａから地上に立ち上がっている立ち上がり部４５ｂとを有している。土台４６は、木製角材により形成された長尺材であり、基礎４５に沿って延びる状態で立ち上がり部４５ｂの上端面に載置されている。
【００３４】
一階床部４４は、土台４６の上に載置された根太と、根太の上に載置された床面材とを有しており、床面材は、合板やパーティクルボード、軽量気泡コンクリート（ＡＬＣ）、床パネル、フローリング材などにより形成されている。一階床部４４は、地表面ＧＬから上方に離間して設けられており、その離間部分が床下空間４８とされ、その床下空間４８と階段下空間３１とを上下に仕切っている。
【００３５】
一階空間においては、一階床部４４の上面が一階床面とされており、階段下空間３１の上段側床面４１及び廊下１５の廊下床面１５ａが一階床面に含まれている。このため、上段側床面４１と廊下床面１５ａと一階部分の他の居住空間の床面とは同じ高さ位置に配置されていることになる。
【００３６】
階段下空間３１には、一階床部４４がない非設置部分４９が形成されており、下段側床面４２は、非設置部分４９において上段側床面４１よりも低い位置に配置されている。一階床部４４は、上下方向に貫通する切り欠き部によりガレージ１１側の端部から内側に凹んだ形状とされており、その凹んだ部分が非設置部分４９とされている。非設置部分４９の下方においては、基礎４５が一階床部４４の周縁部に沿って延びており、階段下空間３１と床下空間４８とが基礎４５の立ち上がり部４５ｂにより左右に仕切られている。非設置部分４９の下方には、ガレージ１１から階段下空間３１側に突出した状態で土間床１３が設けられており、その土間床１３の上面により下段側床面４２が形成されている。この場合、階段下空間３１の下段側床面４２は土間面となっており、下段側床面４２とガレージ１１の土間面１１ａとは、同じ高さ位置に配置されているとともに互いに連続した床面となっている。
【００３７】
階段下空間３１は物品収納スペースとされており、廊下１５及びガレージ１１の両方から物品を出し入れすることができるようになっている。ここでは、階段下空間３１への物品の出し入れを可能とする構成について、図３、図４を参照しつつ説明する。図３は階段下空間３１周辺の平面図、図４は階段下空間３１周辺の縦断面図である。なお、図４においては、（ａ）に図１のＢ−Ｂ線断面図を示し、（ｂ）に図１のＣ−Ｃ線断面図を示す。また、図４においては、踏板２２や蹴込み板２４の図示を省略する。
【００３８】
図３、図４に示すように、間仕切壁１４には、階段下空間３１と廊下１５とを連通する廊下側開口部３５が形成されている。廊下側開口部３５は、間仕切壁１４における上段側床面４１を挟んで外壁１２に対向する部分、及び下段側床面４２を挟んで外壁１２に対向する部分の両方に設けられており、上段側床面４１と下段側床面４２との境界部を跨ぐようにそれら床面４１，４２の並び方向に延びている。廊下側開口部３５は、一階床部４４の上面から上方に向けて延びており、それによって、階段下空間３１の上段側床面４１と廊下１５の廊下床面１５ａとは互いに連続した床面となっている。その一方で、廊下側開口部３５及び廊下床面１５ａは、下段側床面４２よりも高い位置にあり、下段側床面４２と廊下床面１５ａとによって段差が形成されている。
【００３９】
外壁１２には、階段下空間３１とガレージ１１とを連通するガレージ側開口部３６が形成されている。ガレージ側開口部３６は、外壁１２における下段側床面４２を挟んで間仕切壁１４に対向する部分に設けられている一方で、上段側床面４１を挟んで間仕切壁１４に対向する部分には設けられていない。この場合、下段側床面４２側においては、その下段側床面４２を挟んで廊下側開口部３５とガレージ側開口部３６とが並んで配置されていることになる。
【００４０】
ガレージ側開口部３６は、土間床１３の上面から上方に向けて延びており、それによって、階段下空間３１の下段側床面４２とガレージ１１の土間面１１ａとは互いに連続した床面となっている。ちなみに、ガレージ側開口部３６は、基礎４５の一部が屋内側（廊下１５側）に向けて凹んだ形状とされることで形成されており、その凹んだ部分に下段側床面４２が設けられている。これにより、基礎４５の構造強度を低下させることなく、階段下空間３１の下段側床面４２とガレージ１１の土間面１１ａとが連続する構成を実現できる。
【００４１】
なお、廊下側開口部３５及びガレージ側開口部３６のいずれも、階段裏化粧板２６の下側まで延びている。つまり、廊下側開口部３５及びガレージ側開口部３６の各高さ寸法は、階段下空間３１の有効高さ寸法と同じにされている。
【００４２】
ガレージ側開口部３６には、開閉可能なドア５０が設けられている。ドア５０は、外壁１２のガレージ１１側の壁面に沿ってスライド移動する引き戸とされている。なお、ドア５０は、開き戸とされていてもよい。また、開閉可能なドアは、廊下側開口部３５に設けられていてもよい。
【００４３】
なお、廊下１５及びガレージ１１が隣接空間に相当する。また、廊下側開口部３５が下階開口部に相当し、ガレージ側開口部３６が土間側開口部に相当する。上段側床面４１が高床面に相当し、下段側床面４２が低床面に相当する。一階床部４４が下階床部に相当し、一階床面が下階床面に相当する。
【００４４】
図２の説明に戻り、階段下空間３１には、互いに高さ寸法が異なる複数の可動棚５１が上段側床面４１に載置された状態で収納されているとともに、互いに高さ寸法が異なる複数の可動棚５２が下段側床面４２に載置された状態で収納されている。
【００４５】
可動棚５１，５２は、キャスター付きの可動ラックとされており、全体として直方体形状とされている。可動棚５１，５２は、互いに対向する一対の側面板５３と、それら側面板５３を連結する棚板５４と、車輪部としてのキャスター５５とを有している。可動棚５１，５２において、一対の側面板５３を挟んで対向する側面部は開口されている。棚板５４は、上下方向において複数並べられており、各棚板５４は互いに離間した状態で水平方向に延びている。可動棚５１，５２においては、一対の側面板５３の間において棚板５４の上に物品が載置されるようになっており、例えば、５００ｃｃのペットボトルや一升瓶が載置されている。なお、可動棚５１，５２が被収納物に相当し、棚板５４が載置板に相当する。
【００４６】
複数の棚板５４のうち底板部を形成する棚板５４は、一対の側面板５３の下端同士を連結しており、その棚板５４の四隅に対してキャスター５５が複数取り付けられている。キャスター５５は、台座を介して棚板５４に取り付けられており、キャスター５５が台座に対して回転可能に軸支されているとともに、台座が棚板５４に対して回転可能に軸支されている。キャスター５５の回転軸は水平方向に延びており、台座の回転軸は鉛直方向に延びている。この場合、キャスター５５は台座ごと３６０度水平方向に回転可能であるため、可動棚５１，５２の移動方向の自由度が高められている。
【００４７】
可動棚５１，５２は、側面板５３の板面が廊下１５側又はガレージ１１側を向いた状態で階段下空間３１に収納されている。複数の可動棚５１は、上段側床面４１の上において、高さ寸法の大きい順で上段側から下段側に向けて並べられており、複数の可動棚５２は、下段側床面４２の上において、高さ寸法の大きい順で上段側から下段側に向けて並べられている。この場合、下段側床面４２の上方においては、階段下空間３１の有効高さ寸法が階段裏化粧板２６と一階床部４４との離間距離よりも大きくされているため、その離間距離よりも高さ寸法が大きい可動棚５２を、下段側床面４２に載置することができる。
【００４８】
可動棚５１は、廊下１５及び階段下空間３１の並び方向において、階段下空間３１の上段側床面４１と廊下床面１５ａとの間を廊下側開口部３５を通じて行き来することが可能となっており、廊下床面１５ａに載置された状態で上段側床面４１に向けてスライド移動することで階段下空間３１に収納される（図４（ａ）参照）。可動棚５２は、ガレージ１１と階段下空間３１の並び方向において、階段下空間３１の下段側床面４２とガレージ１１の土間面１１ａとの間をガレージ側開口部３６を通じて行き来することが可能となっており、ガレージ１１の土間面１１ａに載置された状態で下段側床面４２に向けてスライド移動することで階段下空間３１に収納される（図４（ｂ）参照）。
【００４９】
上段側床面４１には、一階床部４４を貫通する床開口部６２が形成されており、その床開口部６２には、床下収納ケース６１が取り付けられている。床下収納ケース６１は、上方に向けて開放された箱形状とされており、開放端が床開口部６２に対して固定されている。床下収納ケース６１は、内部空間が物品収納スペースとされており、一階床部４４から床下空間４８側に向けて突出した状態となっている。この場合、床下収納ケース６１の内側面により床下収納凹部が形成されていることになる。
【００５０】
床下収納ケース６１の開口には、蓋部６３が着脱可能に取り付けられており、床下収納ケース６１の開口が蓋部６３により閉鎖された状態では、蓋部６３の上面が上段側床面４１と同一平面を形成している。
【００５１】
上段側床面４１及び下段側床面４２の並び方向において、床開口部６２の開放幅寸法は、可動棚５１において一の側面板５３に沿って並ぶ２つのキャスター５５の離間距離よりも小さくされている。この場合、床下収納ケース６１の開口に対して蓋部６３が取り付けられていてもいなくても、可動棚５１がキャスター５５で床開口部６２（床下収納ケース６１）を跨いだ状態とすることで、その可動棚５１を階段下空間３１に出し入れするためにスライド移動させることが可能となる。
【００５２】
以上詳述した本実施形態によれば、以下の優れた効果が得られる。
【００５３】
廊下側開口部３５を通じて廊下１５から階段下空間３１に物品を出し入れすることが可能となっているため、階段下空間３１を物品収納スペースとして有効利用することができる。しかも、階段下空間３１の上段側床面４１と廊下床面１５ａとは廊下側開口部３５を通じて連続しているため、可動棚５１を廊下１５と階段下空間３１とでスライド移動させることができる。この場合、可動棚５１を持ち上げる必要がないため、廊下１５から階段下空間３１への可動棚５１の出し入れを容易に行うことができる。さらに、可動棚５１を、その可動棚５１の側面板５３が階段下空間３１と廊下１５とを仕切った状態になるように階段下空間３１に収納することで、廊下１５からは階段下空間３１の内部が見えにくい状態となる。
【００５４】
また、ガレージ側開口部３６を通じてガレージ１１から階段下空間３１に物品を出し入れすることが可能となっているため、可動棚５２等の物品を廊下１５等の居住空間を経由することなく、土間空間としてのガレージ１１から階段下空間３１に直接的に収納することができる。これにより、階段下空間３１への収納作業の負担を低減できるとともに、階段下空間３１を屋外用や土間用の物品収納スペースとして利用することができる。
【００５５】
しかも、階段下空間３１の下段側床面４２とガレージ１１の土間面１１ａとはガレージ側開口部３６を通じて連続しているため、可動棚５２をガレージ１１と階段下空間３１とでスライド移動させることができる。この場合、可動棚５２を持ち上げる必要がないため、ガレージ１１から階段下空間３１への可動棚５２の出し入れを容易に行うことができる。さらに、可動棚５２を、その可動棚５２の側面板５３が階段下空間３１とガレージ１１とを仕切った状態になるように階段下空間３１に収納することで、ガレージ１１からは階段下空間３１の内部が見えにくい状態となる。
【００５６】
以上により、階段下空間３１を物品収納スペースとして好適に利用することができ、しかも、物品収納によって階段下空間３１の見栄えが低下するということを抑制できる。
【００５７】
階段下空間３１において、下段側床面４２は上段側床面４１よりも低い位置に配置されているため、下段側床面４２の上方においては、階段下空間３１の有効高さ寸法を一階床部４４と階段裏化粧板２６との離間距離よりも大きくすることができる。これにより、階段下空間３１における下段側部分であっても、高さ寸法がある程度大きい物品を収納することができる。しかも、階段２１の昇降方向において、下段側床面４２は上段側床面４１よりも下段側に配置されているため、階段下空間３１の下段側部分がデッドスペースになってしまうという不都合を解消できる。
【００５８】
階段下空間３１が、廊下１５及びガレージ１１の両方と連通されているため、階段下空間３１に対して、廊下１５及びガレージ１１のいずれからも物品を出し入れすることができる。しかも、階段下空間３１において、廊下側開口部３５とガレージ側開口部３６とは下段側床面４２を挟んで並べて配置されているため、下段側床面４２に収納されている可動棚５２から物品を出し入れする作業を、廊下１５及びガレージ１１の両方から容易に行うことができる。
【００５９】
階段下空間３１が、低床面としての下段側床面４２と高床面としての上段側床面４１との両方を有しているため、ガレージ１１及び廊下１５の両方からの物品の出し入れが容易になっている。例えば、低床面が設けられていない構成では、ガレージ１１から階段下空間３１に可動棚５２を収納する際に、その可動棚５２を土間面１１ａの高さから高床面（一階床面）の高さまで持ち上げなくてはならず、収納作業の負担が大きくなってしまう。また、高床面が設けられていない構成では、廊下１５から階段下空間３１に可動棚５１を収納する際に、その可動棚５１を廊下床面１５ａの高さから低床面（土間面１１ａ）の高さまで降ろさなくてはならず、収納作業の負担が大きくなってしまう。
【００６０】
階段下空間３１においては、一階床部４４（上段側床面４１）に対して床下収納ケース６１が取り付けられているため、階段下空間３１から床下空間４８の一部を床下収納スペースとして利用することができる。しかも、床下収納ケース６１の開口は、上段側床面４１に載置される可動棚５１の車輪間隔よりも幅狭とされているため、可動棚５１がキャスター５５によって床下収納ケース６１の開口を跨いだ状態でスライド移動させることができる。したがって、階段下空間３１においては、上段側床面４１の上方空間及び下方空間の両方を物品収納スペースとして利用することができる。
【００６１】
可動棚５１，５２は、側面板５３を挟んで対向する一対の側面部がそれぞれ側方に向けて開放されているため、側面板５３の間において棚板５４に物品を載置する作業や棚板５４から物品を取り出す作業を容易に行うことができる。
【００６２】
階段２１がＣ型階段とされているため、階段勾配を緩くすることができる。その一方で、階段２１の長手方向の長さ寸法が大きくなって階段下空間３１が大きくなりやすいが、階段下空間３１をデッドスペースではなく物品収納スペースとして利用することで、階段下空間３１が大きくても単にデッドスペースが大きくなるという不都合を回避できる。
【００６３】
［他の実施形態］
本発明は上記実施形態の記載内容に限定されず、例えば次のように実施されてもよい。
【００６４】
（１）階段２１の下方には、階段下空間３１を区画する階段下地ユニット７１が設置されていてもよい。図５に示すように、階段下地ユニット７１は、階段形状に形成された上面板部７２と、上面板部７２を挟んで対向する一対の側面板部７３と、それら上面板部７２及び側面板部７３の外側に沿って延びる断熱部７４とを有している。階段下地ユニット７１は、階段２１の踏板２２の下方であって一階床部４４の上に設置されており、その上面板部７２は踏板２２から下方に離間している。階段下地ユニット７１においては、上面板部７２の下方であって一対の側面板部７３の間の空間が階段下空間３１とされている。
【００６５】
階段下地ユニット７１は、上面板部７２、側面板部７３及び断熱部７４を一体化したものであるため、建築現場において板部７２，７３を組み立てる作業や、それら板部７２，７３に断熱部７４を取り付ける作業を行う必要がないため、建築現場での施工の容易化を図ることができる。
【００６６】
階段下地ユニット７１内の階段下空間３１には、被収納物として、コージェネ機器や蓄電池といった熱エネルギを発生する熱源装置７７が収納されている。この場合、熱源装置７７から熱が発生しても、熱が階段２１の踏板２２などに伝わることを断熱部７４により抑制できる。また、熱源装置７７の下端部にはキャスター７８が設けられており、熱源装置７７が重量物であってもスライド移動させることが容易になっている。
【００６７】
熱源装置７７においては、操作スイッチや表示パネルといった操作部が一側面の上部に配置されており、その操作部は、熱源装置７７が階段下空間３１に収納された状態で廊下側開口部３５を通じて廊下１５側に露出するようになっている。この場合、住人等は、ガレージ１１に行かなくても一階空間に居ながらにして、廊下側開口部３５を通じて熱源装置７７について操作スイッチの操作や表示パネルの視認を行うことができる。
【００６８】
（２）階段２１の下方において階段裏化粧板２６は設けられていなくてもよい。階段裏化粧板２６が設けられていない場合、踏板２２の下面が階段下空間３１側に露出することになるが、階段下空間３１を物品収納スペースとして利用する上で支障はない。
【００６９】
（３）上記実施形態では、階段下空間３１の上段側床面４１とガレージ１１との間にガレージ側開口部３６が設けられていないが、下段側床面４２に加えて上段側床面４１とガレージ１１との間にガレージ側開口部３６が設けられていてもよい。また、廊下側開口部３５は、下段側床面４２と廊下１５との間には設けられていなくてもよい。
【００７０】
（４）階段下空間３１においては、下段側床面４２が上段側床面４１よりも低い位置ではなく、高い位置に配置されていてもよい。例えば、下段側床面４２が一階床部４４により形成され、上段側床面４１が土間床１３により形成された構成とする。この構成では、廊下床面１５ａと下段側床面４２とが廊下側開口部３５を通じて連続し、ガレージ１１の土間面１１ａと上段側床面４１とがガレージ側開口部３６を通じて連続している。
【００７１】
（５）階段下空間３１においては、上段側床面４１及び下段側床面４２のうち一方が設けられていなくてもよい。また、上段側床面４１及び下段側床面４２の両方が一階床部４４により形成されていてもよく、土間床１３により形成されていてもよい。つまり、階段下空間３１の床面全体が一階床部４４又は土間床１３により形成されていてもよい。階段下空間３１の床面全体が一階床部４４により形成されている場合、その床面が廊下床面１５ａと連続していればよく、階段下空間３１の床面全体が土間床１３により形成されている場合、その床面がガレージ１１の土間面１１ａと連続していればよい。
【００７２】
（６）上記実施形態では、廊下１５が階段下空間３１を挟んでガレージ１１の反対側に配置されていたが、廊下１５は階段下空間３１及びガレージ１１の両方に隣接していてもよい。この場合でも、階段下空間３１の上段側床面４１と廊下床面１５ａとが廊下側開口部３５を通じて連続しており、階段下空間３１の下段側床面４２とガレージ１１の土間面１１ａとがガレージ側開口部３６を通じて連続していればよい。
【００７３】
（７）階段下空間３１において低床面としての下段側床面４２は、土間床１３により形成されているのではなく、一階床部４４と同様に床面材により形成されていてもよい。例えば、一階床部４４よりも低い位置に低床部が形成され、その低床部の上面が低床面としての下段側床面４２とされている構成とする。この構成では、低床部が一階床部４４よりも下方において床束等の上に設置されており、根太等の床下地材と床面材とを含んで構成されている。
【００７４】
（８）階段下空間３１の床面が廊下１５及び階段下空間３１のうち一方の床面と連続している構成としてもよい。つまり、廊下側開口部３５又はガレージ側開口部３６が設けられていなくてもよい。例えば、廊下側開口部３５が設けられていない場合でも、階段下空間の床面と隣接空間（ガレージ１１）の床面とが開口部（ガレージ側開口部３６）を通じて連続しているという構成を実現できる。
【００７５】
（９）上記実施形態では、一階空間のうち廊下１５が階段下空間３１に隣接する隣接空間とされていたが、他の居住空間が隣接空間とされていてもよい。また、上記実施形態では、ガレージ１１が階段下空間３１に隣接する隣接空間とされていたが、屋外空間が隣接空間とされていてもよい。屋外空間が隣接空間とされている構成としては、例えば、屋外空間と階段下空間３１とを連通する外壁開口部が土間側開口部として外壁１２に形成されている構成が挙げられる。この構成によれば、建物１０内に居ながらにして階段下空間３１から外壁開口部を通じてゴミ等を屋外に出すことができる。なお、この構成では、外壁に沿って延びる犬走り等の土間床が屋外空間に設けられ、その土間床の土間面が外壁開口部を通じて階段下空間３１の下段側床面４２と連続していることが好ましい。
【００７６】
（１０）階段２１は、Ｃ型階段ではなく、Ｊ型階段やＵ型階段、Ｉ型階段とされていてもよい。いずれのタイプの階段でも、階段２１の下方に階段下空間３１が形成されていればよい。
【００７７】
（１１）階段下空間３１は、上下に隣り合う上階部と下階部のうち下階部に設けられていればよい。このため、階段下空間３１は、三階建て以上の多層階建ての建物においては、二階部分や三階部分に設けられていてもよい。いずれの場合でも、下階部の下階空間が隣接空間として階段下空間３１に隣接していれば、隣接空間と階段下空間とが開口部を通じて連通し、その開口部を通じて隣接空間の床面と階段下空間の床面とが連続している構成を実現できる。
【符号の説明】
【００７８】
１０…建物、１１…隣接空間及び土間空間としてのガレージ、１２…壁体としての外壁、１３…土間床、１４…壁体としての間仕切壁、１５…隣接空間及び下階空間としての廊下、１５ａ…下階床面としての廊下床面、２１…階段、２２…踏板、３１…階段下空間、３５…下階開口部としての廊下側開口部、３６…土間側開口部としてのガレージ側開口部、４１…高床面としての上段側床面、４２…低床面としての下段側床面、４４…下階床部としての下階床部、５１…被収納物としての可動棚、５２…被収納物としての可動棚、５３…側面板、５４…底板部を構成する棚板、５５…車輪部としてのキャスター、６１…床下収納凹部を構成する床下収納ケース、６２…床開口部、７７…被収納物としての熱源装置、７８…車輪部としてのキャスター。
【図１】
0005897930.tif 000002
【図２】
0005897930.tif 000003
【図３】
0005897930.tif 000004
【図４】
0005897930.tif 000005
【図５】
0005897930.tif 000006